(57)【要約】【課題】施工誤差などにより建物壁に設けた排水孔の高さ位置が上下にずれたとしても、接続筒部を排水孔の高さと同じ高さに配置でき、接続筒部を確実に排水孔に接続できるターントラップ式水洗便器を提供することを課題とする。【解決手段】トラップケース７はトラップ６からの排水を受ける排水受け部１３を有する。トラップケース７の外面に排水受け部１３に連通する排水口１９を形成する。トラップケース７の外面にスライド部材２２を上下方向にスライド自在に設ける。スライド部材２２に一端部が流入口部２４となり且つ他端部が建物壁１に設けた排水孔２に連通接続される接続筒部３を形成する。スライド部材２２を上下にスライドして接続筒部３の高さを調節可能とする。スライド部材２２の上下移動範囲内においては接続筒部３の流入口部２４の開口の少なくとも一部が排水口１９と重複するようにする。【選択図】図１
2008291615.tif 000002
【特許請求の範囲】
【請求項１】
一端を便器本体のボウル部に連通接続したトラップと、該トラップを収納するトラップケースを備え、トラップケースはトラップからの排水を受ける排水受け部を有し、トラップケースの外面に排水受け部に連通する排水口を形成すると共に、該トラップケースの外面にスライド部材を上下方向にスライド自在に設け、該スライド部材に一端部が流入口部となり且つ他端部が建物壁に設けた排水孔に連通接続される接続筒部を形成し、該スライド部材を上下にスライドして接続筒部の高さを調節可能とすると共に、該スライド部材の上下移動範囲内においては接続筒部の流入口部の開口の少なくとも一部が排水口と重複するようにしてなることを特徴とするターントラップ式水洗便器。
【発明の詳細な説明】
【技術分野】
【０００１】
本発明は建物壁に設けた排水孔から排水を行うターントラップ式水洗便器に関する。
【背景技術】
【０００２】
一般的な水洗便器は例えば特許文献１のように床２９に設けた排水孔２から排水を行うものであるが、この他にマンションのような住宅にあっては例えば図９に示すような建物壁１に設けた排水孔２から排水を行う水洗便器が利用されている。この水洗便器は排水方式をターントラップ式としたターントラップ式水洗便器であって、一端を便器本体４のボウル部５に連通接続すると共に他端側を上下方向に回動自在とした可撓性を有するトラップ６と、トラップ６を収納するトラップケース７を備えている。トラップケース７は床２９に設置され、トラップ６からの排水を受ける排水受け部１３を備えている。排水受け部１３の壁部からは横向きに接続筒部３を突設してあり、該接続筒部３は建物壁１に設けた排水孔２に連通接続される。そしてボウル部５内の排水を行うには、トラップ６の自由端側を上下に回動して他端開口を上向きとした給水姿勢から他端開口を横向きとした排水姿勢とし、これによりボウル部５内の水をトラップ６から排水受け部１３に流し、排水受け部１３で受けた水を接続筒部３及び壁の排水孔２を介して外部排水管３１に排水する。
【０００３】
ところで、上記接続筒部３が接続される壁の排水孔２は、建物壁１に施工する場合に生じる施工誤差などにより高さが大きくずれる恐れがあり、この場合は接続筒部３を配水管に接続できないといった問題が生じる。
【特許文献１】特開２００４−１１６２２２号公報
【発明の開示】
【発明が解決しようとする課題】
【０００４】
本発明は上記従来の問題点に鑑みて発明したものであって、施工誤差などにより建物壁に設けた排水孔の高さ位置が上下にずれたとしても、接続筒部を排水孔の高さと同じ高さに配置でき、接続筒部を容易且つ確実に排水孔に接続できるターントラップ式水洗便器を提供することを課題とする。
【課題を解決するための手段】
【０００５】
上記課題を解決するために本発明に係るターントラップ式水洗便器は、一端を便器本体４のボウル部５に連通接続したトラップ６と、該トラップを収納するトラップケース７を備え、トラップケース７はトラップ６からの排水を受ける排水受け部１３を有し、トラップケース７の外面に排水受け部１３に連通する排水口１９を形成すると共に、該トラップケース７の外面にスライド部材２２を上下方向にスライド自在に設け、該スライド部材２２に一端部が流入口部２４となり且つ他端部が建物壁１に設けた排水孔２に連通接続される接続筒部３を形成し、該スライド部材２２を上下にスライドして接続筒部３の高さを調節可能とすると共に、該スライド部材２２の上下移動範囲内においては接続筒部３の流入口部２４の開口の少なくとも一部が排水口１９と重複するようにして成ることを特徴とする。
【０００６】
上記のように建物壁１に設けた排水孔２に連通接続される接続筒部３を有するスライド部材２２をトラップケース７の外面に上下方向にスライド自在に設け、該スライド部材２２の上下移動範囲内においては接続筒部３の流入口部２４の開口の少なくとも一部が排水口１９と重複するようにしたことで、施工誤差などにより建物壁１に設けた排水孔２の高さ位置が上下にずれたとしても、スライド部材２２を上下にスライドしてスライド部材２２を排水孔２の高さと同じ高さに配置できる。
【発明の効果】
【０００７】
本発明では、施工誤差などにより建物壁に設けた排水孔の高さ位置が上下にずれたとしても、スライド部材を上下にスライドして微調整することで接続筒部を排水孔の高さと同じ高さに配置でき、接続筒部の接続口部を容易且つ確実に排水孔に接続できる。
【発明を実施するための最良の形態】
【０００８】
以下、本発明を添付図面に示す実施形態に基づいて説明する。本例のターントラップ式水洗便器はマンション等の住宅の建物壁１に設けた排水孔２から排水を行うものであって、排水孔２が現在の建築の設計基準によって床２９から１２０ｍｍの高さに設けてある場合と、以前の建築の設計基準によって床２９から１５５ｍｍの高さに設けてある場合の両方に対応できるようになっている。つまり新築の住宅に水洗便器を設置する場合には高さ１２０ｍｍの位置に新設した排水孔２に排水用の接続筒部３を接続でき、且つ住宅を増改築する場合などに既設の水洗便器に代えて水洗便器を設置する場合には既設の高さ１５５ｍｍの位置にある排水孔２に排水用の接続筒部３を接続できるようになっている。
【０００９】
ターントラップ式水洗便器は、便器本体４と、便器本体４のボウル部５に接続されるトラップ６と、トラップ６を収納するトラップケース７を備え、モータ８を駆動することでトラップ６の自由端側を回動して排水を行う。なお、本例の水洗便器の基本的構成は図９に示す従来の水洗便器と同様のものであり、同一の構成については同一の番号を付与し、また図示していない構成は図９に基づいて説明する。
【００１０】
図１乃至図３に示すトラップケース７は便器本体４の内部においてボウル部５の後方に配設される。図３に示すようにトラップケース７の上部には上方に開口する容器状のトラップ収納部９を形成してあり、該トラップ収納部９でトラップ６からの排水を受ける排水受け部１３を構成している。排水受け部１３の四方の壁部のうちボウル部５側に位置する前壁部１０の中央にはトラップ挿通孔１１を形成してあり、排水受け部１３に収納されたトラップ６の一端はトラップ挿通孔１１から前方に引き出され、ボウル部５の下端部から後方に突設した排水筒１２に接続される。また、排水受け部１３の後壁部１４はトラップケース７の後壁１５の上部で構成されるが、該後壁１５の下部は排水受け部１３の底部１６よりも下方に突出している。後壁１５には前後に貫通する円形の排出孔１７を形成している。排出孔１７は前述の排水受け部１３よりも下方に位置している。また排出孔１７の排水受け部１３側の開口は上部のみが排水受け部１３内に連通し、下部は排水受け部１３の底部よりも下方に位置し、排水受け部１３の内底面と排出孔１７の下側内面との間には逆流防止用の段差が形成されている。
【００１１】
トラップケース７の後壁１５の外面には上下に長い長方形状の収納凹所１８を形成している。収納凹所１８の下部は排水受け部１３の底部１６よりも下方に位置し、該収納凹所１８の底面から前述の排出孔１７の一端開口が排水口１９として開口している。後壁１５の外面に形成した収納凹所１８の底面には前記排出孔１７の一端開口からなる排水口１９を囲繞するように縦長環状のパッキン溝２０ａ、２０ｂを二重に形成している。各パッキン溝２０ａ、２０ｂにはリング状のパッキン２１ａ、２１ｂを配設してあり、排水口１９は内側のパッキン溝２０ａに設けたパッキン２１ａの上部の内側に位置する。
【００１２】
トラップケース７の後壁１５の外面には上下方向にスライド自在にスライド部材２２を設けている。スライド部材２２は、矩形縦板状のスライド部２３と、スライド部２３から垂直に突出した円筒状の接続筒部３とからなる。接続筒部３は一端部がスライド部２３の前面から開口した流入口部２４となり、他端部が建物壁１に設けた排水孔２に連通接続される接続口部２５となっており、流入口部２４の内径は排水口１９と同径となっている。スライド部２３の幅は収納凹所１８の幅と略同じである。スライド部２３は収納凹所１８に上下方向にスライド自在に収納してあり、これによりスライド部材２２は収納凹所１８内で上下に１０ｍｍの範囲内でスライド可能となっている。
【００１３】
後壁１５の外面の外周縁部には矩形縦板状の押さえ部材２６の外周縁部をねじ具２７により着脱自在に取り付けてあり、該押さえ部材２６と収納凹所１８の底面との間には上下スライドすることで任意の高さ調節されたスライド部材２２のスライド部２３が挟持固定される。また、これによりスライド部材２２のスライド部２３と後壁１５との間に後壁１５の外面に設けたパッキン２１ａ、２１ｂが挟まれ、該パッキン２１ａ、２１ｂにより排水口１９の周囲及び接続筒部３の流入口部２４の周囲がシールされ、漏れが防止される。押さえ部材２６の中央には縦長円状の筒部挿通孔２８を形成してあり、接続筒部３は筒部挿通孔２８に挿通されて押さえ部材２６の後方向けて突出している。
【００１４】
ここで上記スライド部材２２はスライド部２３を収納凹所１８に上下に反転して収納することで上下に反転してトラップケース７の外面に取り付け可能となっており、また、このスライド部材２２に設けられる接続筒部３はスライド部２３の上下方向の中心から上下方向にずれた偏心位置に形成してある。従って、図４及び図５に示すように接続筒部３がスライド部２３の下部に位置するようにスライド部材２２を後壁１５の外面に取り付けることで、トラップケース７が接続筒部３を低い位置に配置した新築用となる。また、この状態からスライド部材２２を上下に反転して図６及び図７に示すように接続筒部３がスライド部２３の上部に位置するようにスライド部材２２を後壁１５の外面に取り付けることで、トラップケース７が接続筒部３を高い位置に配置した増改築用となる。これにより接続筒部３の高さを調節できるようになっている。具体的には図４のようにスライド部材２２を新築用の低い位置に取り付けた状態では、図６のように増改築用の高い位置に取り付けた状態より新設される排水孔２と既設の排水孔２の高さの差（３５ｍｍ）の分だけ低い位置に接続筒部３が配置されるようにしてある。
【００１５】
また、上記トラップケース７はスライド部材２２を上下反転した新築用と増改築用のいずれの状態とした場合においても、スライド部材２２を上下にスライドすることで接続筒部３の高さ調節を行えるようにしてあるが、ここで、内側のパッキン溝２０ａに設けたリング状のパッキン２１ａの上下長さは、トラップケース７を新築用と増改築用のいずれの状態とした場合においても、スライド部材２２のスライド範囲内では接続筒部３の流入口部２４がパッキン２１ａの内側に位置する寸法に設定してあり、これにより新築用と増改築用のいずれの状態においても上記パッキン２１ａ、２１ｂによるシールが行われるようにしている。また、筒部挿通孔２８の上下長さは、トラップケース７を新築用と増改築用のいずれの状態とした場合においても、スライド部材２２のスライド範囲内では接続筒部３が筒部挿通孔２８を挿通できる寸法に設定している。
【００１６】
また、図４及び図５のようにトラップケース７を新築用とした場合には、スライド部材２２のスライド範囲内では接続筒部３の流入口部２４の中心が排水口１９の中心よりも下方に位置し、流入口部２４の上部のみが排水口１９と重複する。さらに図６及び図７のようにトラップケース７を増改築用とした場合にも、接続筒部３の流入口部２４の中心が排水口１９の中心よりも下方に位置するまでスライド部材２２を下げられるようにしてあり、つまりトラップケース７は新築用とした場合も増改築用とした場合も共に接続筒部３を排水口１９に対して下方にずらして、排水口１９の下縁部と接続筒部３の下縁部との間に逆流防止用の段差を形成できるようにしている。また、トラップケース７を増改築用としてスライド部材２２を上限位置に配置した場合には接続筒部３の流入口部２４の中心が排水口１９の中心よりも若干量だけ上方に位置するように設定してあり、これにより排水孔２の上方への施工誤差を吸収できるようになっている。なお、トラップケース７を増改築用とした場合には接続筒部３の流入口部２４と排水口１９を正面視で完全に重複させることが可能となっている。
【００１７】
上記排水受け部１３の底部１６からは下方に向けて脚部３０を突設してあり、トラップケース７は脚部３０を床２９に載置し、脚部３０の下端部がボルト等で床２９に固定される。また、トラップケース７に設けたスライド部材２２の接続筒部３は建物壁１に設けた排水孔２に接続される。また、このように設置したトラップケース７の排水受け部１３には一端を便器本体４のボウル部５の排水筒１２に連通接続したトラップ６が収納される。
【００１８】
トラップ６はトラップケース７に設けたモータ８を駆動することでトラップ６の自由端となる他端側を上下に回動できるようになっており、このようにトラップ６を回動することで、ボウル部５に水を供給する給水時及び待機時においては図８（ａ）のようにトラップ６の他端開口を上方に向けた給水姿勢としてボウル部５内に水を溜めることができ、また、図８（ｂ）のようにトラップ６を略水平として他端開口を後方に向けた排水姿勢としてボウル部５内の水を排出することができる。そして、このようにトラップ６を排水姿勢とした場合には、トラップ６の他端開口から排出された水は排水受け部１３の内底面で受けられ、この後、排水口１９、スライド部材２２の接続筒部３、建物壁１の排水孔２を順に通過した後、建物壁１に埋設した外部排水管３１を通って外部に排水される。
【００１９】
ここで、上記水洗便器を新築の住宅に設置する場合には、例えば以下のように接続筒部３の高さを調節する。即ち、水洗便器を新築の住宅に設置する場合には、まず図４又は図５に示すようにスライド部材２２を接続筒部３がスライド部２３の下部に位置する向きとしてスライド部２３を収納凹所１８に収納し、この後、押さえ部材２６を前記ねじ具２７により後壁１５に仮止めしてトラップケース７を新築用とし、これにより接続筒部３の床２９からの高さを大体１２０ｍｍとする。そして次にスライド部材２２を上下にスライドして接続筒部３を新設の排水孔２と同じ高さに調節して配置し、この後、押さえ部材２６をねじ具２７により後壁１５に完全に固着してスライド部材２２を固定する。
【００２０】
また、水洗便器を既設の便器に代えて設置する場合には、まず図６又は図７に示すようにスライド部材２２を接続筒部３がスライド部２３の上部に位置する向きとしてスライド部２３を収納凹所１８に収納し、この後、押さえ部材２６を前記ねじ具２７により後壁１５に仮止めしてトラップケース７を増改築用とし、これにより接続筒部３の床２９からの高さを大体１５５ｍｍとする。そして次にスライド部材２２を上下にスライドして接続筒部３を既設の排水孔２と同じ高さに配置し、この後、押さえ部材２６をねじ具２７により後壁１５に完全に固着してスライド部材２２を固定する。
【００２１】
このように本例の水洗便器は、スライド部材２２を上下に反転してトラップケース７の外面に取り付けることで接続筒部３の高さを調節可能としてあり、スライド部材２２を上下反転したいずれの状態でトラップケース７に取り付けた場合にも、接続筒部３の流入口部２４の少なくとも開口の一部が排水口１９と重複するようにしているので、現在の設計基準によって床２９から１２０ｍｍの高さに設けてある場合と、以前の設計基準によって床２９から１５５ｍｍの高さに設けてある場合の両方に対応できる。また、このスライド部材２２はトラップケース７の外面に上下方向にスライド自在に設けてあり、スライド部材２２の上下移動範囲内においては接続筒部３の流入口部２４の開口の少なくとも一部が排水口１９と重複するようにしているので、施工誤差などにより建物壁１に設けた排水孔２の高さ位置が正規の位置より上下にずれたとしても、スライド部材２２を上下にスライドして微調整することで接続筒部３の接続口部２５を排水孔２の高さと同じ高さに配置でき、接続筒部３の接続口部２５を容易且つ確実に排水孔２に接続できる。
【図面の簡単な説明】
【００２２】
【図１】本発明の実施の形態の一例のトラップケースを示す全体斜視図である。
【図２】同上のトラップケースの分解斜視図である。
【図３】同上のトラップケースの一部を断面とした斜視図である。
【図４】同上のトラップケースを新築用とした場合に、スライド部材を下限までスライドした状態を示す断面図である。
【図５】同上のトラップケースを新築用とした場合に、スライド部材を上限までスライドした状態を示す断面図である。
【図６】同上のトラップケースを増改築用とした場合に、スライド部材の接続筒部の流入口部を排水口と完全に重複させた状態を示す断面図である。
【図７】同上のトラップケースを増改築用とした場合に、スライド部材を下限までスライドした状態を示す断面図である。
【図８】同上のトラップによる排水方法を示す説明図であり、（ａ）はトラップを給水姿勢とした状態を示し、（ｂ）はトラップを排水姿勢とした状態を示す。
【図９】従来のターントラップ式水洗便器の断面図である。
【符号の説明】
【００２３】
２  排水孔
４  便器本体
５  ボウル部
６  トラップ
７  トラップケース
１３  排水受け部
１９  排水口
２２  スライド部材
0
【図１】
2008291615.tif 000003
【図２】
2008291615.tif 000004
【図３】
2008291615.tif 000005
【図４】
2008291615.tif 000006
【図５】
2008291615.tif 000007
【図６】
2008291615.tif 000008
【図７】
2008291615.tif 000009
【図８】
2008291615.tif 000010
【図９】
2008291615.tif 000011